(57)【要約】【課題】グループ通信の参加或いは不参加を決定する前にグループ通信に参加するメンバーを知ることが出来る通信装置及び通信方法を提供することを目的とする。【解決手段】リスト作成部７３は、グループ通信の開始の際に、ユーザにキー入力部３等を介してグループ通話に参加させたい相手を選択させ、選択された相手のニックネームを記憶部６から呼び出し、これを列挙したメンバーリストを作成し、通信開始通知と共に通信部２に他の通信端末に対して送信させる。通信開始通知を受信した端末の制御部７は、メンバーリストが付随しているか否かを判断し、していた場合は、表示制御部７２が、参加予定メンバーの一覧付きの通信開始通知受信通知画面を表示部５に表示させる。【選択図】図２
2007124407.tif 000002
【特許請求の範囲】
【請求項１】
複数の通信装置とグループ通信を行う通信装置であって、
通信を行う通信部と、
少なくとも１の通信相手のアドレス情報及び当該アドレス情報と関連付けて前記通信に用いる通信用名称を記憶する記憶部と
複数の通信相手のアドレス情報が指定されてグループ通信の開始が入力されると、当該複数の通信相手のアドレス情報を用いて、グループ通信の開始を通知する通信開始通知を前記通信部に送信させる通信制御部と、
前記グループ通信の開始が入力されると、指定された通信相手の通信用名称のリストを、アドレス情報を含まずに作成するリスト作成部
を有し、
前記通信制御部は、前記通信開始通知と共に前記リストを前記通信部に送信させる
ことを特徴とする通信装置。
【請求項２】
通知部
を更に有し、
前記通信制御部は、前記通信部により前記通信開始通知を受信すると、前記通知部により前記通信開始通知の受信を通知させ、当該通信開始通知とともに前記リストが受信されると、当該リストに記載される通信用名称を前記通信開始通知を受信したことと共に前記通知部に通知させる
ことを特徴とする請求項１に記載の通信装置。
【請求項３】
前記通信開始通知の許可或いは不許可を入力する入力部
を更に有し、
前記通信制御部は、前記通知部により前記通信開始通知を受信したことと共に前記リストに記載される通信用名称を通知している状態にて、前記入力部により許可の入力がなされると当該通信開始通知に基づく通信を開始するよう前記通信部を制御し、前記入力部により不許可の入力がなされると当該通信開始通知に基づく通信を開始しないよう前記通信部を制御する
ことを特徴とする請求項２に記載の通信装置。
【請求項４】
前記通信部は、管理装置に接続し、当該管理装置を介して複数の通信相手との間で前記グループ通信を行い、
前記通信開始通知には、前記管理装置のアドレス及びログインに必要な情報が含まれ、
前記通信制御部は、前記アドレスを用いて前記管理装置と接続するよう前記通信部を制御し、前記ログインに必要な情報を用いてログインする
ことを特徴とする請求項１から３のいずれか一項に記載の通信装置。
【請求項５】
複数の通信装置とグループ通信を行う通信装置の通信方法であって、
少なくとも１の通信相手のアドレス情報及び当該アドレス情報と関連付けて前記通信に用いる通信用名称を記憶する第１の工程と、
複数の通信相手のアドレス情報が指定されてグループ通信の開始が入力されると、当該複数の通信相手のアドレス情報を用いて、グループ通信の開始を通知する通信開始通知を前記通信部に送信する第２の工程と、
前記グループ通信の開始が入力されると、指定された通信相手の通信用名称のリストを、アドレス情報を含まずに作成する第３の工程と、
前記通信制御部は、前記通信開始通知と共に前記リストを前記通信部に送信させる第４の工程と、
前記通信開始通知と共に前記リストが受信されると、当該通信開始通知を受信したことと共に前記リストに記載される通信用名称を通知させる第５の工程と、
を有することを特徴とする通信方法。
【発明の詳細な説明】
【技術分野】
【０００１】
本発明は、複数の通信装置が互いに通信を行う通信システムにおいて用いられる通信装置及び通信方法に関する。
【背景技術】
【０００２】
近年、携帯電話等の通信端末による通信の態様が多様化しており、回線交換による従来の音声通話に加え、ＩＰ（Internet Protocol）網を利用したパケット通信など新たな態様の通信が行われている。例えば、通信端末間でリアルタイムに文字をやりとりすることで会話を行う「チャットメール」がある（特許文献１参照）。チャットメールは、予め登録しておいたメンバー間でグループを形成し、このグループ内でリアルタイムに文字などのデータ通信を行う「グループ通信」と呼ばれる通信態様の１つである。
【０００３】
最近注目を集めているグループ通信の１つに、ＰｏＣ（Push to Talk over Cellular）と呼ばれるものがある。ＰｏＣは、グループを形成する複数の通信端末同士がリアルタイム通信を行うことを可能にする技術である。ＰｏＣでは、送信側となる１つの通信端末から受信側となる複数の通信端末へ一斉にデータを送信することができる。
ＰｏＣでは、グループ通信を開始しようとする通信端末保持者が他の通信端末にグループ通信開始通知を送信し、通信開始通知を受信した通信端末は、通信開始通知に含まれる送信元の通信端末保持者情報及び通信開始通知を送信した数を表示し、通信端末保持者にこれを判断材料としてグループ通信に参加するか否かを判断させている。
【特許文献１】特開２００３−１７４５２０号公報
【発明の開示】
【発明が解決しようとする課題】
【０００４】
上述したように、先行する関連技術におけるＰｏＣにおいては、グループ通信開始通知からは、通信開始通知の送信元の情報（名前、電話番号、Ｅｍａｉｌアドレス等）及び通信開始通知の送信数（参加予定メンバーの数）の情報しか得ることが出来ないため、例えば、通信開始通知を受信したユーザが、グループ通信に参加してから、グループ通信の参加者の中に話したくない相手がいることに気づく、といった事態を防ぐことができない、という不利益がある。
【０００５】
本発明は上述した不利益を解消するために、グループ通信の参加或いは不参加を決定する前にグループ通信に参加するメンバーを知ることが出来る通信装置及び通信方法を提供することを目的とする。
【課題を解決するための手段】
【０００６】
上述した目的を達成するために、第１の観点の発明の通信装置は、複数の通信装置とグループ通信を行う通信装置であって、通信を行う通信部と、少なくとも１の通信相手のアドレス情報及び当該アドレス情報と関連付けて前記通信に用いる通信用名称を記憶する記憶部と複数の通信相手のアドレス情報が指定されてグループ通信の開始が入力されると、当該複数の通信相手のアドレス情報を用いて、グループ通信の開始を通知する通信開始通知を前記通信部に送信させる通信制御部と、前記グループ通信の開始が入力されると、指定された通信相手の通信用名称のリストを、アドレス情報を含まずに作成するリスト作成部を有し、前記通信制御部は、前記通信開始通知と共に前記リストを前記通信部に送信させる。
【０００７】
好適には、通知部を更に有し、前記通信制御部は、前記通信部により前記通信開始通知を受信すると、前記通知部により前記通信開始通知の受信を通知させ、当該通信開始通知とともに前記リストが受信されると、当該リストに記載される通信用名称を前記通信開始通知を受信したことと共に前記通知部に通知させる。
【０００８】
好適には、前記通信開始通知の許可或いは不許可を入力する入力部を更に有し、前記通信制御部は、前記通知部により前記通信開始通知を受信したことと共に前記リストに記載される通信用名称を通知している状態にて、前記入力部により許可の入力がなされると当該通信開始通知に基づく通信を開始するよう前記通信部を制御し、前記入力部により不許可の入力がなされると当該通信開始通知に基づく通信を開始しないよう前記通信部を制御する。
【０００９】
好適には、前記通信部は、管理装置に接続し、当該管理装置を介して複数の通信相手との間で前記グループ通信を行い、前記通信開始通知には、前記管理装置のアドレス及びログインに必要な情報が含まれ、前記通信制御部は、前記アドレスを用いて前記管理装置と接続するよう前記通信部を制御し、前記ログインに必要な情報を用いてログインする。
【００１０】
第２の観点の発明の通信方法は、複数の通信装置とグループ通信を行う通信装置の通信方法であって、少なくとも１の通信相手のアドレス情報及び当該アドレス情報と関連付けて前記通信に用いる通信用名称を記憶する第１の工程と、複数の通信相手のアドレス情報が指定されてグループ通信の開始が入力されると、当該複数の通信相手のアドレス情報を用いて、グループ通信の開始を通知する通信開始通知を前記通信部に送信する第２の工程と、前記グループ通信の開始が入力されると、指定された通信相手の通信用名称のリストを、アドレス情報を含まずに作成する第３の工程と、前記通信制御部は、前記通信開始通知と共に前記リストを前記通信部に送信させる第４の工程と、前記通信開始通知と共に前記リストが受信されると、当該通信開始通知を受信したことと共に前記リストに記載される通信用名称を通知させる第５の工程と、を有する。
【発明の効果】
【００１１】
本発明によれば、グループ通信の参加或いは不参加を決定する前にグループ通信に参加するメンバーを知ることが出来る通信装置及び通信方法を提供することができる。
【発明を実施するための最良の形態】
【００１２】
以下、本発明の実施形態について説明する。
図１は、本実施形態の通信システムの構成の一例を示す図である。
本発明に係る通信システムは、例えば図１に示すように、３以上の通信端末（１００−１、１００−２、１００−３…）と、通信サーバ装置２００とを有する。
【００１３】
通信端末１００−ｉ（ｉは自然数を示す）は、例えば携帯電話機等の無線通信端末であり、基地局（３００−１、３００−２、３００−３…）を介して通信網３００に接続される。また、通信端末１００−ｉは、通信網３００に接続される通信サーバ装置２００の制御にしたがってデータ通信を行う。本実施形態では、一例として、ＰｏＣ（Push to Talk over Cellular）によるグループ通信を行うものとする。
【００１４】
このデータ通信において伝送されるデータには、例えば通話の音声や、画像、文字等のデータが含まれる。
【００１５】
本通信システムでは、３以上の通信端末（１００−１、１００−２、１００−３…）のうち通信サーバ装置２００によって送信を許可された１の通信端末が他の複数の通信端末へデータを送信することが可能である。データ送信を希望する通信端末１００−ｉは、通信サーバ装置２００に対して通信許可の要求を送信する。
【００１６】
また、通信端末１００−ｉは、後述するように、通信サーバ装置２００から提供される各種の情報を表示可能な表示部をそれぞれ有している。通信端末１００−ｉが通信サーバ装置２００に対して上述した通信許可を通知すると、通信システム内において現在通信許可を待っている通信端末に関する情報が通信サーバ装置２００から通信端末１００−ｉに送信される。通信端末１００−ｉは、通信サーバ装置２００からの情報を受信して表示部に表示する。
【００１７】
通信サーバ装置２００は、３以上の通信端末（１００−１、１００−２、１００−３…）によるＰｏＣのグループ通信を管理する装置である。
通信サーバ装置２００は、１の通信端末からＰｏＣによるグループ通話の開始通知を受けると、その通知に応じて相手方の通信端末を呼び出し、通信セッションを確立する。
【００１８】
通信セッションの確立後、通信サーバ装置２００は、１の通信端末から複数の通信端末へ送信されるデータを中継する。すなわち、送信側の通信端末から受信側の通信端末に宛てて送信されるデータを一旦受信し、これを受信側の通信端末へ転送する。
【００１９】
また、通信サーバ装置２００は、各通信端末１００−ｉの送信許可要求を受信し、各端末の送信許可要求を受け取った順にリスト化し、現在送信を行っている端末の送信が終わるたびにリスト上で次の端末の送信を順次許可する。
【００２０】
次に、本実施形態の通信端末１００−ｉについて説明する。
図２は、通信端末１００−ｉの構成の一例を示す図である。
通信端末１００−ｉは、例えば図２に示すように、アンテナ１と、通信部２と、キー入力部３と、音声処理部４と、表示部５と、記憶部６と、制御部７とを有する。
【００２１】
通信部２は、通信網３００の基地局（３００−１、３００−２…）との間の無線通信に関する処理を行う。例えば、後述する制御部７から供給される送信データに所定の変調処理を施して無線信号に変換し、アンテナ１から送出する。また、アンテナ１において受信される基地局からの無線信号に所定の復調処理を施して受信データに変換し、制御部７に出力する。
通信端末１００−ｉは、この通信部２を介して通信網３００に接続された通信サーバ装置２００や他の端末と通信を行う。
【００２２】
キー入力部３は、通信端末にユーザの指示を入力するための装置である。例えば数字キー、文字キー、矢印キー、決定キーなど、各種の機能を持ったキーを有しており、これらのキーがユーザによって操作された場合に、その操作内容を電気信号に変換して制御部７に出力する。
【００２３】
また、キー入力部３には、ＰｏＣにおいて送信と受信を切り替えるためのキー（送信キー）が設けられている。ユーザがこの送信キーを操作すると、通信サーバ装置２００に対する送信許可要求が通信部２から送信される。
送信キーが押下されると、通信サーバ装置にて、他の通信端末が発言中であるかどうかを判断し、発言中の通信端末が無ければ、当該送信キーを押下した通信端末に対して発言権を与える。なお、送信キーが押圧されている間、この発言権は継続して与えられて送信状態になり、マイクにて入力された音声は通信サーバ装置を介して他の通信端末に同時に送出される。しかし、送信キーを開放する（送信キーの押下をやめる）と、発言権はなくなり、入力された音声は送信されなくなり、代わりに通信サーバ装置を介して他の通信端末による発言を受信してスピーカに出力する状態になる。
【００２４】
音声処理部４は、スピーカやマイクロフォンにおいて入出力される音声信号を処理する。すなわち、マイクロフォンから入力される音声信号に増幅、アナログ−デジタル変換、符号化等の信号処理を施し、デジタルの音声データに変換して制御部７に出力する。また、制御部７から供給される音声データに復号化、デジタル−アナログ変換、増幅等の信号処理を施し、アナログの音声信号に変換してスピーカに出力する。
【００２５】
表示部５は、例えば液晶表示パネルや有機ＥＬパネル等の表示デバイスを用いて構成されており、制御部７から供給されるデータに応じた情報を表示する。例えば、発信時における発信先の電話番号や、着信時における着信相手の電話番号、受信メールや送信メールの内容、待ち受け画面、日付、時刻、バッテリ残量等を表示する。
【００２６】
また、表示部５は、後述するメンバーリストを含むＰｏＣによるグループ通信の開始通知を受信した場合には、後述する制御部７の表示制御部７２の制御に基づき、メンバーリストを表示し、グループ通信中には、通信サーバ装置２００から送られてくる各種の情報や通知を表示する。例えば、グループ通信に参加している通信端末の一覧や、送信許可を待っている通信端末の情報、１つの通信端末から他の端末へ発せられる要求やメッセージ、この要求やメッセージ等に対する別の通信端末の応答等を表示する。
【００２７】
記憶部６は、制御部７の処理で利用される各種のデータや、制御部７の処理結果のデータを記憶する。例えば、制御部７のコンピュータ・プログラムや、その処理に用いる定数データ、処理過程で一時的に保持する必要がある変数データ、電話番号やメールアドレス等の発呼やメール送信といったネットワークサービス上の識別ＩＤであるアドレス情報を相手先ごとに複数まとめたアドレス帳を記憶する。
また、本実施形態では、記憶部６は、図３に示すように、アドレス帳に、ＰｏＣによるグループ通話時に使用するニックネーム（通信用名称）をアドレス情報に関連付けて記憶する。
なお、アドレス帳には、電話番号、メールアドレス、名前が予め登録してあり、この名前とはまた別に、グループ通信用のニックネームが追加される形になる。
【００２８】
制御部７は、通信端末の全体的な動作にかかわる種々の処理を行う。
例えばグループ通信に関する処理として、ＰｏＣにおける所定のプロトコルに従った音声通話やデータ通信が適切に行われるように、音声処理部４における音声の入出力、キー入力部３からの文字データの入力、表示部５における情報の表示、通信部２におけるデータの送受信等を制御する。
【００２９】
また、制御部７は、例えば、記憶部６に格納されたプログラム（オペレーティングシステム、アプリケーション等）に基づいて処理を実行するコンピュータを有しており、プログラムに従って上述した処理を実行する。
【００３０】
更に、制御部７は、ＰｏＣの処理に関する処理ブロックとして、通信制御部７１と、表示制御部７２と、リスト作成部７３とを有する。
【００３１】
通信制御部７１は、ユーザがグループ通話を開始させたい場合に、通信部２に通信開始通知を通信サーバ装置２００に対して送信させる。
ここで、通信開始通知とは、グループ通信やグループ通信を制御するためのサイトが設けられたことの通知であり、サイトの通信網３００上のアドレスや、当該サイトにログインするためのログインＩＤ等、グループ通信参加のために必要な各種パラメータを含み、先の管理テーブルに記載されたメンバーのアドレス情報等に基づいて送信する。
また、通信制御部７１は、ＰｏＣのグループ通信が始まった後、通信部２からデータを送信する処理を行う。例えば、キー入力部３においてＰｏＣの送信キーが押されると、通信サーバ装置２００に対する送信許可の要求を通信部２から送信する。
また、通信制御部７１は、ＰｏＣのグループ通信が始まった後、通信部２においてデータを受信する処理を行う。例えば、上述した送信許可の要求を通信部２から送信した後、通信サーバ装置２００から送信される送信予約リスト情報（通信システム内で送信許可を待つ通信端末に関する情報等）を通信部２において受信する。
【００３２】
表示制御部７２は、表示部５における情報の表示に係わる制御を行う。例えば、ＰｏＣによるグループ通信が始まった後、通信サーバ装置２００から受信した通信開始通知に含まれる後述するメンバーリストや、通信開始通知を送信した端末のアドレス情報及びニックネーム等を表示部５に表示させる。
【００３３】
リスト作成部７３は、ユーザがグループ通信を開始させる操作が行われ、キー入力部３等を介してグループ通話に参加させたい相手を選択されると、選択された相手のニックネームを記憶部６から呼び出し、これを列挙したメンバーリストを作成する。
ここで、メンバーリストは図４に示すように、アドレス情報等は含まず、ニックネームのみを含む。何故なら、メンバーリストを送信した送信先の相手があるニックネームを有する人物のアドレス情報を知らなかった場合に、メンバーリストにアドレス情報が含まれていると、そのニックネームを有する人物の個人情報を漏らしてしまうことになるからである。
【００３４】
次に、図１に示す通信システムにおける、図３に示すメンバー同士のグループ通信開始時の処理について説明する。
例えば通信端末１００−１のユーザＡが、キー入力部３の操作によりＰｏＣのアプリケーションソフトウェア（以下、ＰｏＣアプリと略称する）を起動することにより、グループ通信のための処理が開始される。
【００３５】
ここで、ユーザＡはＰｏＣアプリ上にて、アドレス帳を参照し、キー入力部３等を介して、グループ通信を行いたい相手（通信参加メンバー）として通信端末１００−２（ユーザＢ）、１００−３（ユーザＣ）、１００−４（ユーザＤ）、１００−５（ユーザＥ）の電話番号等の識別情報（アドレス情報）を指定する。
この際、制御部７のリスト作成部７３は、図４に示すような、通信参加メンバーを列挙したメンバーリストを作成する。
【００３６】
次に制御部７の通信制御部７１は、ＰｏＣアプリの処理ルーチンに従い、通信部２に基地局３００−１を介してインターネット等の通信網３００上のサーバである通信サーバ装置２００を呼び出して接続させるよう制御し、まずはグループ通信の開始通知及びメンバーリストの送信を含む通信を、自らの電話番号等のアドレス情報を連絡した上で開始する。
【００３７】
通信サーバ装置２００は、通信開始端末である通信端末１００−１からＰｏＣによるグループ通信の開始通知を受けて通信端末１００−１との通信が開始されると、通信端末１００−１に通信参加メンバーのアドレス情報についても要求し、送信させてこれを受信する。このメンバーに関してのアドレス情報と通信開始端末１００−１のアドレス情報とから、通信サーバ装置２００は参加状態リストとしてグループ通信に関する管理テーブルを作成すると共に、通信端末ぞれぞれの互いのデータの送受信や発言権の付与等といったグループ通信を制御するためのサイトを通信サーバ装置２００上に設ける。なお、上述したグループ通信制御のためのサイトは、通信サーバ装置２００以外のサーバ上に設けられてもよい。
【００３８】
通信開始端末１００−１の記憶部６にも管理テーブルが記憶されると、通信サーバ装置２００はグループ通信のメンバー全員に通信開始通知及びメンバーリストを送信する。
【００３９】
その後、通信サーバ装置２００は、通信開始通知及びメンバーリストを送信したメンバーからの応答を監視し、これらメンバーからの応答があれば、その都度通信開始端末１００−１に通知し、その応答内容により（参加フラグの有無等により）記憶部６内及び通信サーバ装置２００の有する参加状況リストの参加状況を参加（ＩＮ）または不参加（ＯＵＴ）に設定する。
【００４０】
なお、この通信開始通知に関しては、通信サーバ装置２００から他のメンバーの通信端末１００−２、１００−３、１００−４、１００−５に対して送信してもよいが、通信開始端末１００−１から各メンバーのアドレス宛に送信してもよい。また、メンバーからの応答や、グループ通信での発言等は通信サーバ装置２００を経由して管理され、通信開始端末１００−１に届けられる。
【００４１】
次にグループ通信を開始した後の通信端末の処理（通常のＰｏＣ処理）を説明する。
一の通信端末、例えば通信端末１００−３の所有者がキー入力部３にある送信キー（Ｔａｌｋキー）を押すと、この通信端末１００−３から通信サーバ装置２００に対し発言要求が行われる。通信サーバ装置２００は他に送信キーを押圧しているメンバーがいれば、拒否信号を通信端末１００−３に送信する。通信端末１００−３は、拒否信号を受信して、例えばエラー音等を鳴動させ、ユーザに発言不可を通知する。他に送信キーを押しているメンバーがいなければ通信端末１００−３の発言を許可し、通信端末１００−３からのデータを受信し、この受信したデータを他の参加メンバー全てに対して送信する。このような発言の制御を行うことでグループ通信は行われる。
【００４２】
なお、上述したグループ通信の通信開始通知に対する各メンバーからの参加許可や不参加といった応答の受信は、上述したようなグループ通信中においても適宜受付可能であり、受信した場合はその都度、通信開始端末１００−１は管理テーブルのログイン状況を書き換える。
【００４３】
次に、通信開始通知を受信した場合の通信端末１００−ｉの動作例について説明する。
図５は、通信端末１００−ｉの通信開始通知受信時の動作例を説明するためのフローチャートである。
【００４４】
ステップＳＴ１：
通信部２は、自端末宛ての呼び出しを通信網３００から受信し、この呼び出しが通信サーバ装置２００（を介した通信開始端末１００−１）からのＰｏＣ通信の通信開始通知であった場合はＳＴ２に進み、その他の呼び出し（音声通話やメールの着信等）であった場合は従来どおりであるため省略する。
なお、通信サーバ装置２００経由で他の通信端末装置から通信開始通知が送付される本実施形態のようなシステムの場合は、受信した呼び出しの送付元を参照したり、受信した呼び出しの内容に通信サーバ装置２００へのログインに用いるパラメータが記載されているか否かを判断したり、等の多様な手法により本発明で言う通信開始通知なのか、通常の回線交換による音声通話目的の着信なのか、メール受信なのかを判断すればよい。
ステップＳＴ２：
制御部７は、ステップＳＴ１において通信部２が受信した通信開始通知に応じて、記憶部６に記憶されたＰｏＣアプリを読み出して起動し、ＰｏＣ関連の処理を開始する。
【００４５】
ステップＳＴ３：
制御部７は、ステップＳＴ１において通信部２が受信した通信開始通知にメンバーリストが付随しているか否かを判断し、メンバーリストがあった場合はステップＳＴ４へ、無かった場合はステップＳＴ５へ進む。
ステップＳＴ４：
制御部７は、通信開始通知と共に受信したメンバーリストを基に、図６に示すようなメンバーのニックネーム一覧付き通信開始通知受信通知画面を表示部５に表示させる。
図６は、一例として、ユーザＤが受信するメンバーのニックネーム一覧付きの通信開始通知受信通知画面を示す図である。
図６に示すように、メンバーリスト付きの通信開始通知受信通知画面は、メンバーリストを基に表示制御部７２が作成した、参加予定メンバーのニックネームの一覧を含む、グループ通話の通信開始通知の受信をユーザに通知する画面である。また、同時に、制御部７は、図示しない音声通知部や振動通知部等により、音声や振動によって通信開始通知を受信したことをユーザに通知してもよい。
【００４６】
ステップＳＴ５：
制御部７は、通信開始通知受信通知画面を表示部５に表示させる。このステップにおける通信開始通知受信通知画面は図６に示す参加予定メンバーのニックネームの一覧付き通信開始通知受信通知画面と異なり、メンバーリストがなくグループ通話の通信開始通知を受信したことのみをユーザに通知する画面である（図示しない）。また、同時に、制御部７は、図示しない音声通知部や振動通知部等により、音声や振動によって通信開始通知を受信したことをユーザに通知してもよい。
ステップＳＴ６：
制御部７は、ユーザがグループ通信に参加するか否かをキー入力部３等によるユーザの入力を通して判断し、参加すると判断した場合はステップＳＴ７へ、参加しないと判断した場合はステップＳＴ９へ進む。
【００４７】
ステップＳＴ７：
制御部７の通信制御部７１は、通信部２に通信開始通知の送信元の通信端末へ参加通知（通信開始通知）を送信させる。
ステップＳＴ８：
制御部７は、記憶部６から読み出したＰｏＣアプリに通常のＰｏＣ通信処理を行わせる。通常のＰｏＣ通話処理については上述したとおりであるので、ここでは省略する。
【００４８】
ステップＳＴ９：
制御部７の通信制御部７１は、通信部２に通信開始通知の送信元の通信端末へ不参加通知（通信拒否通知）を送信させ、通信サーバ装置２００との通信を切断する。
ステップＳＴ１０：
制御部７は、ＰｏＣアプリを終了させ、通常の待ち受け状態に戻る。
【００４９】
以上のように、通信開始通知及びメンバーリストを受信した通信端末１００−ｉでは、表示制御部７２が参加予定メンバーのニックネームの一覧を含む通信開始通知受信通知画面を表示部５に表示するため、これを見たユーザは、参加するか否かを決定する際に参加予定メンバーを確認でき、グループ通話を開始してから話したくない人がいることに気づく、といった自体を避けることが出来る。
【００５０】
以上説明したように、本実施形態の通信端末１００−ｉによれば、グループ通話を開始するユーザが通信開始通知を参加者に送信する際に、リスト作成部７３がグループ通話に招待する相手を列挙したメンバーリストを作成し、通信制御部７１が通信開始通知と共にメンバーリストを通信部２に送信させることにより、通信開始通知と共にメンバーリストを受信したユーザは、表示制御部７２がメンバーリストを基に参加予定メンバーのニックネームの一覧を含む通信開始通知受信通知画面を表示部５に表示させるのを見てから、参加するか否かを決定することができる。
また、本実施形態の通信端末１００−ｉによれば、メンバーリストには電話番号やＥｍａｉｌアドレス等、アドレス情報は含まれていないので、メンバーリスト内に含まれる人物のアドレス情報を知らないユーザがメンバーリストを受信しても、メンバーリスト内の人物のアドレス情報が漏れる恐れはない。
【００５１】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００５２】
上述した実施形態では、ＰｏＣによるグループ通信に本発明を適用する例を説明しているが、本発明はこれには限定されず、１対多のデータ通信を行う他の種々のグループ通信にも適用可能である。
【００５３】
上述した実施形態の通信端末１００−ｉの制御部７の処理は、全てをコンピュータによってプログラムに基づいて実行してもよいし、その少なくとも一部をハードウェアで実行してもよい。
【００５４】
本発明の通信端末は携帯電話機に限定されない。例えば、ＰＤＡ（personal digital assistants）や携帯型ゲーム機等、通信機能を有する端末装置に広く本発明は適用可能である。
【図面の簡単な説明】
【００５５】
【図１】図１は、本実施形態の通信システムの構成の一例を示す図である
【図２】図２は、通信端末１００−ｉの構成の一例を示す図である。
【図３】図３は、ドライブモードにおける通信端末１００−ｉの動作例を説明するためのフローチャートである。
【図４】図４は、マナーモードにおける通信端末１００−ｉの動作例を説明するためのフローチャートである。
【図５】図５は、他の通信端末からの通信開始通知を受信した場合の通信端末１００−ｉの動作例を示すフローチャートである。
【図６】図６は、ユーザＤが受信するメンバーのニックネーム一覧付きの通信開始通知受信通知画面の一例を示す図である。
【符号の説明】
【００５６】
１…アンテナ、２…通信部、３…キー入力部、４…音声処理部、５…表示部、６…記憶部、７…制御部、７１…通信制御部、７２…表示制御部、７３…リスト作成部、１００…通信端末、２００…通信サーバ装置、３００…通信網
【図１】
2007124407.tif 000003
【図２】
2007124407.tif 000004
【図３】
2007124407.tif 000005
【図４】
2007124407.tif 000006
【図５】
2007124407.tif 000007
【図６】
2007124407.tif 000008